【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
照明光を出射する面状照明体と、
前記面状照明体上に配置されてなる光偏向面を備えた第１の光偏向部材部材と、
前記第１の光偏向部材上に配置されてなる光偏向面を備えた第２の光偏向部材と、を有し、
前記第１及び第２の光偏向部材の前記光偏向面は、相互に逆向きに傾斜するプリズム面が交互に連続して複数配列されてなり、当該複数のプリズム面の間の頂部及び谷部の角度が等しいとともに、前記頂部及び谷部の配列周期が一定ではなくランダムに形成され、
前記第１の光偏向部材と前記第２の光偏向部材は、前記光偏向面が逆に向き、しかも、前記プリズム面の傾斜方位が交差するように配置されてなることを特徴とする照明装置。
【請求項２】
前記面状照明体は、前記光出射面及び前記光出射面と異なる方向を向いた光入射面を備えた導光板と、前記光入射面に対向配置される光源とを有し、
前記第１及び第２の光偏向部材は、互いに前記光偏向面を備えていない側の面を対向させて配置され、
前記光源から前記光入射面を介して導入される光の伝播方向が、前記第１の光偏向部材の前記複数のプリズム面の間の頂部及び谷部の延在方向と実質的に一致することを特徴とする請求項１に記載の照明装置。
【請求項３】
照明光を出射する面状照明体と、
前記面状照明体の光出射側に配置され、第１の方位に沿った輝度の出射角分布が相互に分離された少なくとも二つのピーク範囲を有する態様に前記照明光を偏向させる第１の光偏向部材と、
前記面状照明体の光出射側に配置され、前記第１の方位と交差する第２の方位に沿った輝度の出射角分布を出射角の小さい領域に集中させる態様で前記照明光を偏向させる第２の光偏向部材と、を具備し、
前記第１の光偏向部材が第１の光偏向面を有し、前記第２の光偏向部材が第２の光偏向面を有し、
前記第１及び第２の光偏向部材の前記光偏向面は、相互に逆向きに傾斜するプリズム面が交互に連続して複数配列されてなり、当該複数のプリズム面の間の頂部及び谷部の角度が等しいとともに、前記頂部及び谷部の配列周期が一定ではなくランダムに形成され、
前記第１の光偏向部材と前記第２の光偏向部材は、前記光偏向面が逆に向き、しかも、前記プリズム面の傾斜方位が交差するように配置されてなることを特徴とする照明装置。
【請求項４】
前記二つのピーク範囲は、出射角０度の両側に形成されることを特徴とする請求項３に記載の照明装置。
【請求項５】
前記二つのピーク範囲間の輝度の最小値はピーク値の半値未満であることを特徴とする請求項３又は４に記載の照明装置。
【請求項６】
前記面状照明体は、前記光出射面及び前記光出射面と異なる方向を向いた光入射面を備えた導光板と、前記光入射面に対向配置される光源とを有し、
前記第１及び第２の光偏向部材は、互いに前記光偏向面を備えていない側の面を対向させ、前記第１の光偏向部材が前記導光板側に配置され、
前記光源から前記光入射面を介して導入される光の伝播方向が前記第２の方位と実質的に一致することを特徴とする請求項３乃至５のいずれか一項に記載の照明装置。
【請求項７】
前記第１及び第２の光偏向部材の前記光偏向面の前記複数のプリズム面の間の頂部の高さ及び谷部の深さが一定ではなくランダムに形成されることを特徴とする請求項１乃至６のいずれか一項に記載の照明装置。
【請求項８】
請求項１乃至７のいずれか一項に記載の照明装置と、
前記照明装置の光出射側に配置され、一対の基板間に電気光学物質を配してなる電気光学表示体と、
を具備することを特徴とする電気光学装置。
【請求項９】
前記電気光学表示体は二つの相互に異なる視角範囲において相互に異なる表示を実現可能に構成され、前記照明装置は、前記二つの視角範囲に各々対応する出射角範囲内のそれぞれに輝度ピークを有することを特徴とする請求項７に記載の電気光学装置。
【請求項１０】
請求項８又は９に記載の電気光学装置を備えた電子機器。
【手続補正２】
【補正対象書類名】明細書
【補正対象項目名】０００７
【補正方法】変更
【補正の内容】
【０００７】
斯かる実情に鑑み、第１発明の照明装置は、照明光を出射する面状照明体と、前記面状照明体上に配置されてなる光偏向面を備えた第１の光偏向部材部材と、前記第１の光偏向部材上に配置されてなる光偏向面を備えた第２の光偏向部材と、を有し、前記第１及び第２の光偏向部材の前記光偏向面は、相互に逆向きに傾斜するプリズム面が交互に連続して複数配列されてなり、当該複数のプリズム面の間の頂部及び谷部の角度が等しいとともに、前記頂部及び谷部の配列周期が一定ではなくランダムに形成され、前記第１の光偏向部材と前記第２の光偏向部材は、前記光偏向面が逆に向き、前記プリズム面の傾斜方位が交差するように配置されてなることを特徴とする。
【手続補正３】
【補正対象書類名】明細書
【補正対象項目名】０００９
【補正方法】変更
【補正の内容】
【０００９】
具体的には、例えば、照明光を出射する面状照明体と、前記面状照明体の光出射側に配置され、第１の方位に向けて相互に逆向きに傾斜したプリズム面が交互に配列された面が前記面状照明体側に向くように配置された第１の光偏向部材と、前記面状照明体の光出射側に配置され、前記第１の方位と交差する第２の方位に向けて相互に逆向きに傾斜した一対のプリズム面が交互に配列された面が前記面状照明体の反対側に向くように配置された第２の光偏向部材と、を具備することが好ましい。この場合、第１の光偏向部材と第２の光偏向部材のいずれを面状照明体側に配置しても構わない。
本発明において、前記面状照明体は、前記光出射面及び前記光出射面と異なる方向を向いた光入射面を備えた導光板と、前記光入射面に対向配置される光源とを有し、前記第１及び第２の光偏向部材は、互いに前記光偏向面を備えていない側の面を対向させて配置され、前記光源から前記光入射面を介して導入される光の伝播方向が、前記第１の光偏向部材の前記複数のプリズム面の間の頂部及び谷部の延在方向と実質的に一致することを特徴とする。
【手続補正４】
【補正対象書類名】明細書
【補正対象項目名】００１０
【補正方法】変更
【補正の内容】
【００１０】
また、第２発明の照明装置は、照明光を出射する面状照明体と、前記面状照明体の光出射側に配置され、第１の方位に沿った輝度の出射角分布が相互に分離された少なくとも二つのピーク範囲を有する態様に前記照明光を偏向させる第１の光偏向部材と、前記面状照明体の光出射側に配置され、前記第１の方位と交差する第２の方位に沿った輝度の出射角分布を出射角の小さい領域に集中させる態様で前記照明光を偏向させる第２の光偏向部材と、を具備し、前記第１の光偏向部材が第１の光偏向面を有し、前記第２の光偏向部材が第２の光偏向面を有し、前記第１及び第２の光偏向部材の前記光偏向面は、相互に逆向きに傾斜するプリズム面が交互に連続して複数配列されてなり、当該複数のプリズム面の間の頂部及び谷部の角度が等しいとともに、前記頂部及び谷部の配列周期が一定ではなくランダムに形成され、前記第１の光偏向部材と前記第２の光偏向部材は、前記光偏向面が逆に向き、しかも、前記プリズム面の傾斜方位が交差するように配置されてなることを特徴とする。この場合においても、第１の光偏向部材と第２の光偏向部材のいずれを面状照明体側に配置しても構わない。
【手続補正５】
【補正対象書類名】明細書
【補正対象項目名】００１４
【補正方法】変更
【補正の内容】
【００１４】
本発明において、前記面状照明体は、前記光出射面及び前記光出射面と異なる方向を向いた光入射面を備えた導光板と、前記光入射面に対向配置される光源とを有し、前記第１及び第２の光偏向部材は、互いに前記光偏向面を備えていない側の面を対向させ、前記第１の光偏向部材が前記導光板側に配置され、前記光源から前記光入射面を介して導入される光の伝播方向が前記第２の方位と実質的に一致することが好ましい。これによれば、光源から光入射面を介して導光板の内部に入射した光は、適宜の光偏向手段によって光出射面から出射されるが、その伝播方向に沿った照明光の出射角分布は、通常、他の方向に沿った分布よりも広範囲に分散した分布となる。したがって、当該伝播方向が第２の方位と実質的に一致するように構成することで、導光板から出射される光の第２の方位に沿って広く分散した出射角分布を第２の光偏向部材で集光するとともに、第２の方位とは異なる第１の方位に沿った出射角分布に対して第１の光偏向部材による偏向機能が作用することとなるので、第１の方位に沿った所望の出射角分布を制御性よく、かつ、効率的に生成することが可能になる。
本発明において、前記第１及び第２の光偏向部材の前記光偏向面の前記複数のプリズム面の間の頂部の高さ及び谷部の深さが一定ではなくランダムに形成されることを特徴とする。
【手続補正６】
【補正対象書類名】明細書
【補正対象項目名】００２８
【補正方法】変更
【補正の内容】
【００２８】
図７に示す光学シートＯＳ３は、基本的に上記と同様のプリズム面ＯＳ３ａ、ＯＳ３ｂを配列させた光偏向面ＯＳ３Ａと平坦面ＯＳ３Ｂを有する。プリズム面間の角度θ１及びθ２や平坦面に対するプリズム面の角度も上記と同様である。この光学シートＯＳ３が上記と異なる点は、光偏向面ＯＳ３Ａに設けられたプリズム構造の配列周期、頂部の高さや谷部の深さが一定ではなく、ランダムなパターンで形成されている点にある。これによって、画面のにじみやモアレ縞の発生を抑制することができる。なお、ベースフィルムＯＳ３Ｘ上にプリズム層ＯＳ３Ｙを積層してもよい点は上記と同様である。